(57)【要約】      （修正有）【課題】雪の冷熱を他の系において有効利用できるように供給する技術を提供する。【解決手段】雪室１０内の雪Ｓが融解してできた融雪水が流入口から流入し融雪水槽１２内に貯留される。融雪水槽１２内の融雪水は冷水往路１５を介して熱交換器１３に送水され、冷熱利用系３の冷却用熱媒体と熱交換した後、融雪水供給路１７を通って雪室１０内の雪に放水されるか、または槽内戻路１８を通って融雪水槽１２に戻される。冷水往路１５は融雪水槽１２内の流入口と近接する位置に吸込口１５ａを有し、槽内戻路１８は当該位置とは離れた位置に吐出口１８ａを有している。【選択図】図１
2015132423.tif 000002
【特許請求の範囲】
【請求項１】
雪類を貯留するための雪室と、
該雪室内の雪類が融解してできた融雪水が雪室との間に設けた流入口から流入し貯留される融雪水槽と、
前記融雪水槽内の融雪水を冷熱利用系の冷却用熱媒体と熱交換するための熱交換器と、
前記融雪水槽内の融雪水を前記熱交換器に送水するための流路である冷水往路と、
前記熱交換器を通った後の融雪水を前記雪室内の雪類に供給するために雪室内に送水するための流路である融雪水供給路と、
前記熱交換器を通った後の融雪水を前記融雪水槽内に戻すための流路である槽内戻路と、
を備え、
前記冷水往路は前記融雪水槽内の前記流入口と近接する位置に吸込口を有し当該箇所に貯留されている融雪水を前記熱交換器に送水するための流路であって、
前記槽内戻路を通水する融雪水は、前記融雪水槽内における前記冷水往路の吸込口の位置とは離れた位置に流入することを特徴とする、
雪類エネルギー供給システム。
【請求項２】
前記融雪水槽は内部に隔壁を設けることにより低温水領域と戻水領域とに隔てられ、
前記隔壁は隔壁の一端に設けた連通口からのみ前記低温水領域と前記戻水領域との間の通水を可能とし、
前記冷水往路は前記低温水領域の前記連通口とは離れた位置に吸込口を有し、
前記槽内戻路は前記戻水領域の前記連通口とは離れた位置に吐出口を有する、
請求項１記載の雪類エネルギー供給システム。
【請求項３】
前記雪類エネルギー供給システムは、
前記熱交換器を通った後の融雪水を、前記槽内戻路に通水させる槽内戻状態と、前記融雪水供給路に通水させる供給状態とに切り替える融雪水流路切替装置と、
前記融雪水槽内に貯留された融雪水の温度を検知する融雪水温度センサと、
をさらに備え、
前記融雪水流路切替装置は、前記融雪水温度センサによって融雪水の温度が所定温度以上であると検知されると、供給状態となるように制御される、
請求項１または２に記載の雪類エネルギー供給システム。
【請求項４】
前記冷熱利用系は、空調用冷水を前記冷却用媒体としてそのシステム内を循環し、当該空調用冷水を冷却する熱源機を有する、空調システムであって、
空調用冷水が通水する流路を、前記空調用冷水を前記熱交換器に通水して循環させる熱交換器循環状態と、前記空調用の冷水を前記熱源機に通水して循環させる熱源機循環状態と、に切り替える空調用冷水流路切替装置を備え、
前記雪類エネルギー供給システムは、前記冷水往路内の融雪水温度を検知する冷水温度センサをさらに備え、
前記空調用冷水流路切替手段は、前記冷水往路内の融雪水温度が所定以上であると検知されると、熱源機循環状態となるように制御される、
請求項１から３の何れか一項に記載の雪類エネルギー供給システム。
【請求項５】
雪室内の雪類が融解して融雪水槽内に流入して貯留された融雪水を冷熱利用系の冷却用熱媒体との熱交換に利用し、
当該熱交換後の融雪水を雪室内の雪類に供給するか、或いは前記融雪水槽内に戻し、
前記冷熱利用系の冷却用熱媒体との熱交換後に融雪水槽内に戻された融雪水よりも、前記雪室内で融解して融雪水槽内に流入した融雪水を優先して、前記冷熱利用系の冷却用熱媒体との熱交換に利用し、
融雪水槽内に貯留された融雪水の温度が所定温度以上である場合には、熱交換後の融雪水を雪室内の雪類に供給する、
雪類エネルギー供給方法。
【発明の詳細な説明】
【技術分野】
【０００１】
本発明は冬季に貯蔵した雪類を夏季に冷熱として他の系に供給するシステムに関する。
【背景技術】
【０００２】
従来、冬季の積雪を雪室内に貯蔵しておき、当該雪室に貯蔵された雪を冷熱源として冷房などに利用するシステムがある。例えば、雪室内に貯蔵した雪が融解してできた融雪水を貯留する領域を設け、貯留された融雪水と、空調装置を経由して循環する熱媒体とを熱交換することで、空調装置で冷房に利用されて昇温した熱媒体を冷却するシステムが提案されている（例えば特許文献１、２など）。
【先行技術文献】
【特許文献】
【０００３】
【特許文献１】特開２０１１−２４７５４８号公報
【特許文献２】特開２００５−２９９９４４号公報
【発明の概要】
【発明が解決しようとする課題】
【０００４】
上述したシステムでは、融雪水を貯留する蓄熱槽などの領域内では、融解して間もない低温の融雪水と、貯留されてからある程度の時間が経過したり或いは上述の空調装置などにおいて冷熱として利用されたりして昇温した融雪水（還水）とが混合されるので、雪の冷熱を十分に有効利用できていない。
【０００５】
このような状況に鑑み、本発明は、雪の冷熱を他の系において有効利用できるように供給する技術を提供することを目的とする。
【課題を解決するための手段】
【０００６】
本発明では、上記課題を解決するために、以下の手段を採用した。すなわち、本発明は、雪類を貯留するための雪室と、該雪室内の雪類が融解してできた融雪水が雪室との間に設けた流入口から流入し貯留される融雪水槽と、前記融雪水槽内の融雪水を冷熱利用系の冷却用熱媒体と熱交換するための熱交換器と、前記融雪水槽内の融雪水を前記熱交換器に送水するための流路である冷水往路と、前記熱交換器を通った後の融雪水を前記雪室内の雪類に供給するために雪室内に送水するための流路である融雪水供給路と、前記熱交換器を通った後の融雪水を前記融雪水槽内に戻すための流路である槽内戻路と、を備え、前記冷水往路は前記融雪水槽内の前記流入口と近接する位置に吸込口を有し当該箇所に貯留されている融雪水を前記熱交換器に送水するための流路であって、前記槽内戻路を通水する融雪水は、前記融雪水槽内における前記冷水往路の吸込口の位置とは離れた位置に流入する、雪類エネルギー供給システムである。なお、雪類とは、雪のみに限らず例えばつらら等も含む、自然気象によって生成する氷点下の生成物をいう。
【０００７】
本発明によれば、融雪水槽内において雪室から融雪水が流入する流入口の近接箇所に貯留された融雪水が冷熱利用系の熱媒体と熱交換するための熱交換器に供給され、冷熱利用系にて冷熱が利用された後の融雪水は戻水領域に戻されるか或いは雪室内の雪類に供給される。これにより、熱交換器には、冷熱が利用されて昇温した後の融雪水は供給されず、低温の融雪水が供給される構成となっているので、より有効な冷熱を優先して冷熱利用系に供給することができる。
【０００８】
また、本発明に係る雪類エネルギー供給システムは、前記融雪水槽は内部に隔壁を設けることにより低温水領域と戻水領域とに隔てられ、前記隔壁は隔壁の一端に設けた連通口からのみ前記低温水領域と前記戻水領域との間の通水を可能とし、前記冷水往路は前記低温水領域の前記連通口とは離れた位置に吸込口を有し、前記槽内戻路は前記戻水領域の前記連通口とは離れた位置に吐出口を有してもよい。
【０００９】
また、本発明に係る雪類エネルギー供給システムは、前記熱交換器を通った後の融雪水を、前記槽内戻路に通水させる槽内戻状態と、前記融雪水供給路に通水させる供給状態とに切り替える融雪水流路切替装置と、前記融雪水槽内に貯留された融雪水の温度を検知する融雪水温度センサと、をさらに備え、前記融雪水流路切替装置は、前記融雪水温度センサによって融雪水の温度が所定温度以上であると検知されると、供給状態となるように制御してもよい。
【００１０】
このような本発明によれば、融雪水槽内の水温が所定以上の場合には、熱交換器にて昇温した融雪水を雪室内の雪類に供給して、雪類と接触させることにより降温し同時に雪類を融解してさらに融雪水を生成し融雪水槽に流入するので、融雪水槽内の水温を降温させて、冷熱利用系に対する有効な冷熱の供給に寄与することができる。
【００１１】
また、本発明に係る雪類エネルギー供給システムにおいて、前記冷熱利用系は、空調用冷水を前記冷却用媒体としてそのシステム内を循環し、当該空調用冷水を冷却する熱源機を有する、空調システムであって、空調用冷水が通水する流路を、前記空調用冷水を前記熱交換器に通水して循環させる熱交換器循環状態と、前記空調用の冷水を前記熱源機に通水して循環させる熱源機循環状態と、に切り替える空調用冷水流路切替装置を備え、前記雪類エネルギー供給システムは、前記冷水往路内の融雪水温度を検知する冷水温度センサをさらに備え、前記空調用冷水流路切替手段は、前記冷水往路内の融雪水温度が所定以上であると検知されると、熱源機循環状態となるように制御してもよい。
【００１２】
このような本発明によれば、雪類エネルギー供給システムによって空調システムに十分な冷熱を供給できる状態であれば、雪類エネルギー供給システムの冷熱、即ち融雪水の冷熱が空調システムに供給され、そうでない場合は熱源機によって冷熱が供給されるように制御されるので、より効率よく空調システムに冷熱を供給することができる。
【００１３】
また、本発明は、雪室内の雪類が融解して融雪水槽内に流入して貯留された融雪水を冷熱利用系の冷却用熱媒体との熱交換に利用し、当該熱交換後の融雪水を雪室内の雪類に供給するか、或いは前記融雪水槽内に戻し、前記冷熱利用系の冷却用熱媒体との熱交換後に融雪水槽内に戻された融雪水よりも、前記雪室内で融解して融雪水槽内に流入した融雪水を優先して、前記冷熱利用系の冷却用熱媒体との熱交換に利用し、融雪水槽内に貯留された融雪水の温度が所定温度以上である場合には、熱交換後の融雪水を雪室内の雪類に供給する、雪エネルギー供給方法であってもよい。
【発明の効果】
【００１４】
本発明によれば、より低温の融雪水の冷熱を優先して冷熱利用系に供給することができるので、冷熱利用系において冷熱を有効に利用することができる。
【図面の簡単な説明】
【００１５】
【図１】図１は、実施の形態に係る雪エネルギー供給システム１を例示する構成図である。
【図２】図２は、雪室１０内部の構成を例示する平面図である。
【発明を実施するための形態】
【００１６】
以下、本発明の実施の形態（以下、「本実施形態」とも表記する）を、図面に基づいて説明する。なお、以下に説明する実施の形態は、本発明を実施する一例を示すものであって、本発明を以下に説明する具体的な構成に限定するものではない。本発明を実施するにあたっては、実施の形態に応じた具体的な構成が適宜採用されることが好ましい。
【００１７】
本実施形態に係る雪エネルギー供給システム１は、雪室１０内の雪Ｓが融解してできた融雪水を融雪水槽１２に貯留し、融雪水槽１２内の融雪水を冷熱利用系の熱媒体と熱交換して当該熱媒体を冷却し、熱交換後の融雪水を融雪水槽１２に戻すか或いは雪室１０内に供給するシステムとして説明される。また、本実施形態に係る冷熱利用系は、冷水（二次冷水）を冷却用熱媒体として循環させる空調システム３として説明される。なお、冷熱利用系は、冷熱の需要を有する、空調以外の用途の設備等であってもよい。また、雪Ｓはつらら等の自然気象による氷点下の生成物が含まれていてもよく、発明における「雪類」に相当し、雪エネルギーシステム１は発明における「雪類エネルギーシステム」に相当する。
【００１８】
図１は、本実施形態に係る雪エネルギー供給システムを例示する構成図である。図１には、雪エネルギー供給システム１、空調システム３が示されている。雪エネルギー供給システム１と空調システム３との間には、空調システム３の冷却用熱媒体としての二次冷水を空調システム３から雪エネルギー供給システム１へ引き入れて、空調システム３へ戻すための水路（二次冷水往路３４、二次冷水還路３３）が設けられている。なお、各水路は保温性の高い材質を用いたり、保温材によって被覆したりするなどの構成が採用されることが好ましい。以下、空調システム３、雪エネルギー供給システム１の順に構成の詳細を説明する。
【００１９】
空調システム３は、水冷方式の空調設備である。空調システム３は、冷熱負荷としての空調機３２を有する。空調機はここではエアハンドリングユニットであるが、水熱源ヒートポンプユニットであってもよい。空調システム３には、二次冷水の循環流路としての二次冷水還路３３、二次冷水往路３４が設けられており、二次冷水還路３３には弁Ｖ３１が、二次冷水往路３４には弁Ｖ３２がそれぞれ設けられている。また、二次冷水還路３３の弁Ｖ３１と空調機３２との間には熱源機側還路３６が、二次冷水往路３４の弁Ｖ３２と空調機３２との間には熱源機往路３７がそれぞれ接続されており、何れも不図示の熱源機に繋がっている。熱源機側還路３６には弁Ｖ３３が、熱源機側往路３７には弁Ｖ３４がそれぞれ設けられている。熱源機は、流入する二次冷水を所定の温度に降温する機器であり、例えばターボ冷凍機である。なお、空調機３は二次冷水の水路に複数あり、空調機３側から見れば、二次冷水還路３３が往き、二次冷水往路３４が還りとなる。
【００２０】
弁Ｖ３１、弁Ｖ３２が開で、弁Ｖ３３、弁Ｖ３４が閉状態のときは、二次冷水は二次冷水ポンプＰ３１の稼働により空調機３２及び雪エネルギー供給システム１の熱交換器１３を通流する。空調機３２は、供給される二次冷水と室内の空気との間で熱交換を行い、熱交換後の昇温された二次冷水は、熱交換器１３へ還る。一方、弁Ｖ３１、弁Ｖ３２が閉で、弁Ｖ３３、弁Ｖ３４が開のときは、熱源機側還路３６あるいは熱源機側往路３７に設けられた不図示のポンプの稼働により、二次冷水は空調機３２及び熱源機を通流し、空調機３２内の熱交換器において二次冷水と室内の空気との間の熱交換により昇温された二次冷水が熱源機へ還る。
【００２１】
二次冷水往路３４には二次冷水往路３４を流れる冷水の温度を検知する温度センサ５６が、二次冷水還路３３には二次冷水還路３３を流れる冷水の温度を検知する温度センサ５５がそれぞれ設置され、各温度の情報は信号線を介して制御部に送信される。
【００２２】
雪エネルギー供給システム１は、雪室１０内に堆積された雪Ｓの融雪水を冷熱として上述の空調システム３、すなわち冷熱利用系等の他の系に供給するシステムである。雪エネルギー供給システム１は雪室１０、融雪水槽１２、熱交換器１３を備える。
【００２３】
雪室１０は、冬季に積雪した雪をためておき、夏季まで雪の状態で保存しておくことができる室であり、略矩形状に形成されている。雪室１０内の一端側の下部には雪室１０内の雪Ｓを融解するための融雪水供給手段としての散水ノズル１７ｂが設置されており、熱交換器１３にて空調システム３内を通水する二次冷水と熱交換されて昇温した融雪水が冷水還路１６、融雪水供給路１７、ヘッダー１７ａを介して散水ノズル１７ｂから雪室１０内に散水（放水）される（冷水還路１６は後述の槽内戻路１８と融雪水供給路１７とに分岐している）。融雪水供給路１７は、雪室１０の融雪水槽１２設置側とは反対側の側壁１０ａと床面１０ｂとで形成される角部に沿って配設されたヘッダー１７ａに接続されている。散水ノズル１７ｂは、ヘッダー１７ａの全長に渡って所定間隔をあけて複数設けられており、散水ノズル１７ｂから散水された水は雪室１０に堆積された雪Ｓを融解しながら床面を融雪水槽１２に向かって流れる。また、ヘッダー１７ａを雪室１０内の上部に設置し、堆積した雪Ｓの上方から散水（放水）する構成としても良い。
【００２４】
融雪水槽１２は雪室１０の一側端側の床下に設けられており、融雪水槽１２上方の床の一部に設けた流入口１１を通して、雪室１０内の雪Ｓが融解してできた融雪水が融雪水槽１２に流入し、貯留される。流入口１１は、グレーチング板やパンチング板等の多孔板によって形成されてもよく、これは人が融雪水槽１２内に落ちることを防止するためと融雪水槽１２内にゴミ等が入ることを抑制する目的としている。また、流入口１１に金網を張り、その上に雪Ｓの一部が載るようにして、雪Ｓが固体状のままでなく融解してから融雪水槽１２に流下するように構成してもよい。なお、雪室１０の床面には、融雪水が融雪水槽１２に流入しやすいように、流入口１１に向かって下りの勾配を設けてもよい。さらに、雪Ｓの堆積位置と融雪水槽１２の距離が離れている場合、前者から中間貯留槽を介して後者に送水することが考えられ、その際は当該送水に係る水路の終端の後者への供給口が「流入口」となる。
【００２５】
融雪水槽１２内は、低温水領域１２ａおよび戻水領域１２ｂの２つの領域に分けられている。上述の流入口１１の下方には低温水領域１２ａが配置され、雪室１０で融解した融雪水が低温水領域１２ａ側に流下する構成となっている。実施の形態では雪室１０に近い側を低温水領域１２ａ、遠い側を戻水領域１２ｂとして配置している。ただし、流入口１１が低温水領域１２ａの上方にあれば、低温水領域１２ａと戻水領域１２ｂの配置は逆であってもよい。低温水領域１２ａと戻水領域１２ｂとの間には隔壁２８が設けられている。隔壁２８は、ここでは両領域が等容積となるよう融雪水槽１２の中間位置で槽の底面から鉛直に立設されている。そして、隔壁２８の流入口１１から遠い側の一端に設けた連通路２９からのみ両領域間での水の流通が可能になっている。なお、夏季等になって最初に雪エネルギー供給システム１の運転を開始する際には、通常はそれまでに融解してできた融雪水が既に融雪水槽１２内に貯留された状態となっているため、すぐに運転を開始できる。ただし、融雪水槽１２内に融雪水が貯留されていない場合には、外部からの水を雪室１０の雪Ｓに供給して強制的に融雪水を生成してから運転を開始してもよい。
【００２６】
上述のとおり、流入口１１は低温水領域１２ａの上方に設けられており、低温水領域１２ａには融解して間もない融雪水が順次流入するので、低温水領域１２ａのほうが戻水領域１２ｂよりも低温（例えば２℃以下）の融雪水が貯留される。一方、戻水領域１２ｂには融解後に滞留して昇温した融雪水が貯留された状態となる。特に流入口１１の下方近傍の水温が最も低く、戻水領域１２ｂで連通口２９とは離れる側の端部の水温が最も高くなる。
【００２７】
低温水領域１２ａ内には冷水往路１５の吸込口１５ａが設けられ、低温水領域１２ａ内に一端が浸漬された冷水往路１５に設置されている冷水ポンプＰ１１の稼働により、低温水領域１２ａ内の融雪水が汲み上げられ冷水往路１５を通って熱交換器に送られる。戻水領域１２ｂには排水路１９の吸込口１９ａが設けられ、後述の水位センサ５８で溢水の予兆を検知して排水路１９に設置されている排水ポンプＰ１２が稼働することにより、戻水領域１２ｂ内の融雪水が汲み上げられ系外に排出される。より詳細には、冷水往路１５の吸込口１５ａは低温水領域１２ａの連通口２９とは離れる側（流入口１１に近い側）、排水路１９の吸込口１９ａは戻水領域１２ｂの連通口とは離れる側に設けられている。さらに換言すると、融雪水槽１２内を低温水領域１２ａから連通口２９を介して戻水領域１２ｂまでの一連の流路として見ると、当該流路上で吸込口１５ａと吸込口１９ａとは最も離れるように配置されていると言える。そして吸込口１５ａから冷水ポンプＰ１１で吸引され水中の吐出口１８ａに戻され、融雪水槽１２内の水の流れは吐出口１８ａから吐出口１５ａへの隔壁を介したＵ字状を形成する。このようにすることで、冷熱として有効な低温の水は冷水往路１５に供給される。また、融雪水槽１２内の水を系外に排水する際にこの低温の水を排水することがない。
【００２８】
融雪水槽１２内には温度センサ５２が設置されており、融雪水槽１２内の融雪水温度が検知され、温度センサ５２の情報は、信号線を介して制御部（何れも不図示）に送られる。より詳細には、温度センサ５２は融雪水槽１２中の連通路２９近傍、すなわち低温水領域１２ａと戻水領域１２ｂとの中間の領域に設置されている。また、融雪水槽１２内には、融雪水槽１２に貯留された融雪水の水位を検知する水位センサ５８が設置されており、信号線を介して水位の情報が制御部に送られる。
【００２９】
なお、融雪水槽１２底面において、上述の排水路１９の吸込口１９ａや冷水往路１５の吸込口１５ａからの水の吸込みをより確実に行うために、各吸込口１９ａ，１５ａを配置する位置に釜場と呼ばれる底面をさらに窪ませた形状とし、その部分に吸込口１９ａ，１５ａを配置してもよい。
【００３０】
冷水往路１５の、融雪水槽１２の他側は熱交換器１３に接続されている。また、熱交換器１３には、他に二次冷水往路３４、二次冷水還路３３、冷水還路１６が接続されている。冷水往路１５からの融雪水と二次冷水還路３３からの二次冷水とが熱交換器１３により熱交換され、熱交換後の融雪水は冷水還路１６に、二次冷水は二次冷水往路３４にそれぞれ送水される。また、冷水往路１５と冷水還路１６の間にはバイパス路２０が接続されている。
【００３１】
冷水往路１５には温度センサ５３が設置され、冷水往路１５を流れる融雪水の温度が検知される。温度センサ５３によって検知された融雪水温度の情報は信号線を介して制御部（何れも不図示）に送られる。また、冷水還路１６には温度センサ５４が設置され、冷水還路１６を流れる融雪水の温度が検知される。温度センサ５４によって検知された融雪水温度の情報は信号線を介して制御部に送られる。
【００３２】
冷水還路１６は槽内戻路１８と前述の融雪水供給路１７とに分岐している。槽内戻路１８は融雪水槽１２内に繋がっており、その吐出口１８ａは融雪水槽１２内の戻水領域１２ｂ側の連通口２９とは離れる側に配置されている。換言すると、融雪水槽１２内を低温水領域１２ａから連通口２９を介して戻水領域１２ｂまでの一連の流路として見たときに、吐出口１８ａは当該流路上で吸込口１５ａとは最も離れた位置に配置されている。これにより、熱交換器１３を通り昇温した水をそのまま吸込口１５ａから冷水往路１５に送水することがないようにしている。融雪水供給路１７は前述のように雪室１０内に繋がっており、融雪水供給路１７に送水された水はヘッダー１７ａを介して散水ノズル１７ｂから雪室１０内に散水される。融雪水供給路１７および槽内戻路１８にはそれぞれ弁Ｖ１１、弁Ｖ１２が設置されており、何れも制御部からの指令に応じて開度制御される。
【００３３】
次に、上述したシステムの制御方法について説明する。冷水ポンプＰ１１は、空調システム３において空調機３２が冷房運転（冷熱利用運転）している間は稼働し、そうでない場合は停止するように制御される。即ち、空調機３２の冷房運転中は、融雪水槽１２内の融雪水を熱交換器１３に供給し、空調機３２において室内空気と熱交換されて昇温した二次冷水を降温させる。
【００３４】
排水ポンプＰ１２は、融雪水槽１２内の水位が上昇して水位センサ５８によって高位側の所定以上であると検知されると稼働し、融雪水槽１２内の水を排水口１９ａから排水路１９を介して系外に排水する。そして水位が下降して、水位センサ５８によって低位側の所定以下の水位であると検知されると、排水ポンプＰ１２は停止する。これにより、融雪水槽１２内の水位が所定範囲内に保たれる。また、水位センサ５８を設けずに、排水ポンプＰ１２をフロートスイッチを付属したポンプによって構成し、これにより水位を制御してもよい。
【００３５】
融雪水槽１２内に設置された温度センサ５２により検知された温度が、所定温度（例えば５℃）以上である場合には融雪水供給路１７の弁Ｖ１１を開、槽内戻路１８の弁Ｖ１２を閉として、冷水還路１６を流れる融雪水を融雪水供給路１７へ送水し、散水ノズル１７ｂから雪室１０内に散水されるようにする。一方、所定温度未満である場合には、融雪水供給路１７の弁Ｖ１１を閉、槽内戻路１８の弁１２を開として、冷水還路１６を流れる融雪水を槽内戻路１８へ送水し、融雪水槽１２の戻水領域１２ｂ側に戻される。即ち、融雪水槽１２内の水温が所定以上になると、熱交換器１３において昇温された融雪水を雪と接触させることで降温するとともに、雪室１０内の雪Ｓを融解させ、この降温した融雪水と新たに融解した融雪水を流入口１１から融雪水槽１２内に流入口１１から融雪水槽１２内に流入させて、融雪水槽１２内の水温を降温させるように制御される。なお、弁Ｖ１１を開、弁Ｖ１２を閉とした状態が発明における供給状態に相当し、弁Ｖ１１を閉、弁Ｖ１２を開とした状態が発明における槽内戻状態に相当する。
【００３６】
冷水往路１５の弁Ｖ１４、バイパス路２０の弁Ｖ１３は、二次冷水往路３４の二次冷水ポンプＰ３１は、二次冷水往路３４の温度センサ５６、及び二次冷水還路３３の温度センサ５５で検知される温度がそれぞれ所定温度（例えば１２℃、７℃）となるように、それぞれ開度制御、送水量制御され、熱交換器１３に通水する融雪水及び二次冷水の量を調節する。
【００３７】
弁Ｖ３１、弁Ｖ３２、弁Ｖ３３、弁Ｖ３４（発明の空調用冷水流路切替装置に相当）は、雪エネルギー供給システム１によって空調システム３に十分な冷熱を供給できる状態であれば、雪エネルギー供給システム１の冷熱を空調システム３に供給され、そうでない場合は熱源機によって冷熱が供給されるように開閉制御される。具体的には、温度センサ５３により検知する温度（即ち冷水往路１５を流れる融雪水温）が所定温度（例えば５℃）未満であれば、雪エネルギー供給システム１によって空調システム３に十分な冷熱を供給できるとして、弁Ｖ３１及び弁Ｖ３２を開、弁Ｖ３３及び弁Ｖ３４を閉とし、二次冷水が空調機３２と熱交換器１３とを循環するようにする。一方、所定温度以上であれば、弁Ｖ３１及び弁Ｖ３２を閉、弁Ｖ３３及び弁Ｖ３４を開とし、二次冷水空調機３２と熱源機とを循環するようにする。なお、上述の、弁Ｖ３１及び弁Ｖ３２を開、弁Ｖ３３及び弁Ｖ３４を閉とした状態が、発明における熱交換器循環状態に相当し、弁Ｖ３１及び弁Ｖ３２を閉、弁Ｖ３３及び弁Ｖ３４を開とした状態が、発明における熱源機循環状態に相当する。
【００３８】
以上説明した本実施形態によれば、雪室１０内で融解した融雪水が流入する低温水領域１２ａ側の融雪水が冷熱利用系の熱媒体と熱交換するための熱交換器１３に供給され、冷熱利用系にて冷熱が利用された後の融雪水は戻水領域１２ｂに戻されるか或いは雪室１０内の雪Ｓに散水される。これにより、熱交換器１３には、冷熱が利用されて昇温した後の昇温した融雪水は供給されず、低温の融雪水が供給される構成となっているので、より有効な冷熱が優先して冷熱利用系に供給される。
【００３９】
また、融雪水槽内１２内の水温が所定以上の場合には、熱交換器１３にて昇温した融雪水を雪室１０内の雪Ｓに散水して、雪Ｓと接触させることにより降温し同時に雪Ｓを融解してさらに融雪水を生成して融雪水槽１２に流入するので、融雪水槽１２内の水温を降温させて、冷熱利用系における有効な冷熱の供給に寄与させることができる。さらにまた、融雪水槽１２内の融雪水を系外に排水する際には熱交換器１３にて昇温した融雪水を排水するので、冷熱として有効であるより低温の融雪水を排水することを抑制することができる。
【符号の説明】
【００４０】
１    雪エネルギー供給システム（雪類エネルギー供給システム）
１０  雪室
１１  流入口
１２  融雪水槽
１２ａ  低温水領域
１２ｂ  戻水領域
１３  熱交換器
１５  冷水往路
Ｐ１１  冷水ポンプ
１６  冷水還路
１７  融雪水供給路
１７ａ  ヘッダー
１７ｂ  散水ノズル
１８  槽内戻路
１９  排水路
Ｐ１２  排水ポンプ
２０  バイパス路
３    空調システム（冷熱利用系）
３２  空調機
３３  二次冷水還路
３４  二次冷水往路
Ｐ３１  二次冷水ポンプ
３６  熱源機側還路
３７  熱源機側往路
Ｖ１１、Ｖ１２、Ｖ１３、Ｖ１４、Ｖ３１、Ｖ３２、Ｖ３３、Ｖ３４  弁
【図１】
2015132423.tif 000003
【図２】
2015132423.tif 000004